(57)【要約】【課題】人に手間を掛けさせることなく、車両の運行に関する情報を高い確度で他の装置へ移すことを可能にする。【解決手段】１つの態様によれば、車両に搭載される運行記録装置１０と、人が車両運行時に携帯する携帯電子機器２０と、任意の場所に設置される情報処理装置３０とを含む運行管理システム１において、運行記録装置１０は、車両の運行に関する運行情報を取得する情報取得部と、運行情報を近距離通信によって携帯電子機器２０へ送信する第１の近距離通信部とを備え、携帯電子機器２０は、運行記録装置１０から送信された運行情報を記憶する第１の記憶部と、第１の記憶部に記憶されている運行情報を近距離通信によって情報処理装置３０へ送信する第２の近距離通信部とを備え、情報処理装置３０は、携帯電子機器２０から送信された運行情報を記憶する第２の記憶部と、第２の記憶部に記憶されている運行情報を処理する制御部とを備える。【選択図】図１
2014235609.tif 000002
【特許請求の範囲】
【請求項１】
車両に搭載される運行記録装置と、人が車両運行時に携帯する携帯電子機器と、任意の場所に設置される情報処理装置とを含む運行管理システムにおいて、
前記運行記録装置は、
前記車両の運行に関する運行情報を取得する情報取得部と、
前記運行情報を近距離通信によって前記携帯電子機器へ送信する第１の近距離通信部と
を備え、
前記携帯電子機器は、
前記運行記録装置から送信された前記運行情報を記憶する第１の記憶部と、
前記第１の記憶部に記憶されている前記運行情報を近距離通信によって前記情報処理装置へ送信する第２の近距離通信部と
を備え、
前記情報処理装置は、
前記携帯電子機器から送信された前記運行情報を記憶する第２の記憶部と、
前記第２の記憶部に記憶されている前記運行情報を処理する制御部と
を備える運行管理システム。
【請求項２】
前記第１の近距離通信部は、前記運行情報を前記携帯電子機器へ所定の期間毎に送信する請求項１に記載の運行管理システム。
【請求項３】
前記運行記録装置は、前記第１の近距離通信部による前記携帯電子機器との近距離通信を通じて前記車両の運転手を識別するための識別情報を取得して、当該識別情報を前記運行情報に含めさせる設定管理部をさらに備える請求項１に記載の運行管理システム。
【請求項４】
前記運行記録装置は、前記第１の近距離通信部が前記携帯電子機器を検出したかを判定する情報送信部と、
前記携帯電子機器を検出できなかったことを報知する報知部と
をさらに備える請求項１又は２に記載の運行管理システム。
【請求項５】
前記運行記録装置は、前記運行情報を記憶する第３の記憶部をさらに備え、前記運行情報を前記携帯電子機器に送信した場合に、前記運行情報を前記第３の記憶部から削除する請求項１から３のいずれか１項に記載の運行管理システム。
【請求項６】
前記携帯電子機器は、バッテリをさらに備え、
前記運行記録装置は前記バッテリの残量が閾値よりも少ない場合に前記携帯電子機器への前記運行情報の送信を停止する請求項１から４のいずれか１項に記載の運行管理システム。
【請求項７】
前記運行記録装置は前記第１の記憶部の残容量が閾値よりも少ない場合に前記携帯電子機器への前記運行情報の送信を停止する請求項１から５のいずれか１項に記載の運行管理システム。
【請求項８】
車両に搭載される運行記録装置において、
前記車両の運行に関する運行情報を取得する情報取得部と、
前記運行情報を処理する情報処理装置と近距離通信によって通信を行う携帯電子機器へ、近距離通信によって前記運行情報を送信する近距離通信部と
を備える運行記録装置。
【請求項９】
近距離通信を行う近距離通信部と、記憶部とを備える携帯電子機器に、
前記近距離通信部を介して、車両に搭載された運行記録装置から当該車両の運行に関する運行情報を受信するステップと、
前記運行情報を前記記憶部に記憶するステップと、
前記運行情報を処理する情報処理装置を前記近距離通信部によって検出した場合に、前記近距離通信部を介して、前記運行情報を前記情報処理装置へ送信するステップと
を実行させる管理プログラム。
【発明の詳細な説明】
【技術分野】
【０００１】
本発明は、運行管理システム、運行記録装置、及び管理プログラムに関する。
【背景技術】
【０００２】
車両の運行に関する情報を記録する運行記録装置（ドライブレコーダ）が知られている。ドライブレコーダを携帯電話端末と組み合わせて利用し、携帯電話端末が、ドライブレコーダから運転状況データを受信したときに、これを携帯電話回線経由で所定のサーバに転送する技術も知られている（特許文献１参照）。
【先行技術文献】
【特許文献】
【０００３】
【特許文献１】特開２０１０−２３８２１４号公報
【発明の概要】
【発明が解決しようとする課題】
【０００４】
しかしながら、上記の技術のように車両の運行に関する情報を携帯電話回線経由で他の装置に送信する場合、電波状況によっては、情報を他の装置に確実に送信できない場合がある。可搬の記憶媒体を用いることにより、携帯電話回線を経由せずに情報を他の装置へ移すことはできるが、この場合、記憶媒体の抜き差しに手間が掛かる。
【０００５】
本発明は、人に手間を掛けさせることなく、車両の運行に関する情報を高い確度で他の装置へ移すことを可能にする運行管理システム、運行記録装置、及び管理プログラムを提供することを目的とする。
【課題を解決するための手段】
【０００６】
１つの態様によれば、車両に搭載される運行記録装置と、人が車両運行時に携帯する携帯電子機器と、任意の場所に設置される情報処理装置とを含む運行管理システムにおいて、前記運行記録装置は、前記車両の運行に関する運行情報を取得する情報取得部と、前記運行情報を近距離通信によって前記携帯電子機器へ送信する第１の近距離通信部とを備え、前記携帯電子機器は、前記運行記録装置から送信された前記運行情報を記憶する第１の記憶部と、前記第１の記憶部に記憶されている前記運行情報を近距離通信によって前記情報処理装置へ送信する第２の近距離通信部とを備え、前記情報処理装置は、前記携帯電子機器から送信された前記運行情報を記憶する第２の記憶部と、前記第２の記憶部に記憶されている前記運行情報を処理する制御部とを備える。
【０００７】
他の態様によれば、車両に搭載される運行記録装置は、前記車両の運行に関する運行情報を取得する情報取得部と、前記運行情報を処理する情報処理装置と近距離通信によって通信を行う携帯電子機器へ、近距離通信によって前記運行情報を送信する近距離通信部とを備える。
【０００８】
他の態様によれば、管理プログラムは、近距離通信を行う近距離通信部と、記憶部とを備える携帯電子機器に、前記近距離通信部を介して、車両に搭載された運行記録装置から当該車両の運行に関する運行情報を受信するステップと、前記運行情報を前記記憶部に記憶するステップと、前記運行情報を処理する情報処理装置を前記近距離通信部によって検出した場合に、前記近距離通信部を介して、前記運行情報を前記情報処理装置へ送信するステップとを実行させる。
【発明の効果】
【０００９】
１つの態様において、運行管理システム、運行記録装置、及び管理プログラムは、人に手間を掛けさせることなく、車両の運行に関する情報を高い確度で他の装置へ移すことを可能にするという効果を奏する。
【図面の簡単な説明】
【００１０】
【図１】図１は、実施形態に係る運行管理システムの例を示す図である。
【図２】図２は、運行記録装置のブロック図である。
【図３】図３は、状況データの例を示す図である。
【図４】図４は、映像管理データの例を示す図である。
【図５】図５は、携帯電子機器のブロック図である。
【図６】図６は、運転手情報の例を示す図である。
【図７】図７は、情報処理装置のブロック図である。
【図８】図８は、運行記録装置の動作の例を示すフローチャートである。
【図９】図９は、携帯電子機器による運行情報の受信動作の例を示すフローチャートである。
【図１０】図１０は、携帯電子機器による運行情報の送信動作の例を示すフローチャートである。
【図１１】図１１は、運行管理システムにおける運行情報の削除の例を示すシーケンス図である。
【図１２】図１２は、運行管理システムにおける運行情報の削除の他の例を示すシーケンス図である。
【図１３】図１３は、運行記録装置の変形例のブロック図である。
【発明を実施するための形態】
【００１１】
以下に、実施形態を図面に基づいて詳細に説明する。以下では、運行記録装置が、映像記録機能付き運行記録装置であり、携帯電子機器が携帯電話である例について説明する。なお、この実施形態によりこの発明が限定されるものではない。また、この実施形態における構成要素には、当業者が容易に想定できるもの、実質的に同一のもの、及びいわゆる均等の範囲のものが含まれる。
【００１２】
図１を参照しながら、実施形態に係る運行管理システムについて説明する。図１は、実施形態に係る運行管理システム１の例を示す図である。運行管理システム１は、運行記録装置１０と、携帯電子機器２０と、情報処理装置３０とを含む。運行記録装置１０は、車両８０に搭載され、車両８０の運行に関する運行情報を記録する。車両８０は、例えば、自家用車でもよいし、タクシー、バス、又はトラック等の商用車でもよい。運行情報には、エンジン８１を制御するＥＣＵ（Electronic Control Unit）８２が出力する信号、及びブレーキペダルユニット８３が出力する信号等の車両８０の各部の状態を示す情報が含まれる。運行情報には、加速度検出部、及び位置検出部等の運行記録装置１０が備える検出部が検出する情報が含まれる。さらに、本実施形態では、運行情報には、運行記録装置１０に内蔵又は接続された撮影部が撮影した車両８０の外部及び内部の少なくとも一方の映像が含まれる。
【００１３】
携帯電子機器２０は、車両８０を運転する運転手Ｄ１によって携帯される。携帯電子機器２０は、運行記録装置１０及び情報処理装置３０と近距離通信（「近距離無線通信」ともいう）で通信するための通信機能を有する。近距離通信は、例えば、数メートル乃至１０メートル程度の範囲で通信が可能な無線ＬＡＮ又はＢｌｕｅｔｏｏｔｈ（登録商標）等の非近接タイプの近距離通信方式を用いて実現される。近距離通信は、可視光通信又は赤外線通信等の光による通信方式を用いて実現されてもよい。携帯電子機器２０が運行記録装置１０及び情報処理装置３０と近距離通信で通信するためのペアリング等の設定は、予め行われるものとする。
【００１４】
運転手Ｄ１は、車両８０を運転する場合、携帯電子機器２０を携帯して車両８０に乗車する。その結果、携帯電子機器２０と運行記録装置１０との間の近距離通信が可能になる。携帯電子機器２０と運行記録装置１０との間の通信が、近接通信方式を用いて実現される場合には、運転手Ｄ１が、車両８０の所定の場所に携帯電子機器２０を置くことにより、携帯電子機器２０と運行記録装置１０との間の通信が可能になる。
【００１５】
携帯電子機器２０との通信が可能な状態において、運行記録装置１０は、記録した運行情報を携帯電子機器２０へ送信する。携帯電子機器２０は、送信された運行情報を記憶する。運行記録装置１０は、携帯電子機器２０へ送信した運行情報を削除してもよいし、そのまま残してもよい。運行記録装置１０は、運行情報を削除するか、そのまま残すかを、運行情報の重要度に基づいて判定してもよい。
【００１６】
運転手Ｄ１は、車両８０の運転を終了すると、携帯電子機器２０を携帯して、家又はオフィスの建物９０に戻る。建物９０には、情報処理装置３０に内蔵又は接続された近距離通信部３０１が存在する。携帯電子機器２０と近距離通信部３０１との距離が所定の距離よりも短くなると、携帯電子機器２０と情報処理装置３０との間の近距離通信が可能になる。携帯電子機器２０と情報処理装置３０との間の通信が、近接通信方式を用いて実現される場合には、運転手Ｄ１が、建物９０の所定の場所に携帯電子機器２０を置くことにより、携帯電子機器２０と情報処理装置３０との間の通信が可能になる。
【００１７】
携帯電子機器２０と情報処理装置３０との間の通信が可能になると、携帯電子機器２０は、記憶している運行情報を情報処理装置３０へ送信する。情報処理装置３０は、送信された運行情報を記憶する。情報処理装置３０は、記憶している運行情報に基づいて、報告書データの作成、及び運転手Ｄ１の運転の安全性の分析等の各種の処理を実行する。なお、これらの処理は、ＡＳＰ（Application Service Provider）や、クラウドコンピューティング、その他の外部的なサーバで処理を行う場合を含む。携帯電子機器２０は、情報処理装置３０へ送信した運行情報を削除してもよいし、そのまま残してもよい。運行情報を削除するか、そのまま残すかは、運行情報の重要度に基づいて判定してもよい。
【００１８】
このように、運行記録装置１０によって記録された運行情報は、運転手Ｄ１が特に操作を行わなくても、携帯電子機器２０を経由して、情報処理装置３０に記憶される。このため、運行記録装置１０によって記録された運行情報を情報処理装置３０へ移すための運転手Ｄ１の負荷が低減される。
【００１９】
運行情報を他の装置へ移すために、無線通信会社の公衆回線を用いる方式も考えられる。しかしながら、無線通信会社の公衆回線を用いる方式では、通信コストがかかり、さらに、電波状況によって送信が失敗することもある。本実施形態に係る運行管理システム１は、運行情報を他の装置へ移すために近距離通信を用いるので、通信コストがかからず、さらに、電波状況の影響を受けることなく、より確実に運行情報を他の装置へ移すことができる。
【００２０】
運行情報を他の装置へ移すために、メモリカード等の可搬の記憶媒体を用いる方式も考えられる。しかしながら、記憶媒体を用いる方式では、記憶媒体の出し入れに運転手の手間がかかる上に、毎回の運転のたびに可搬型記憶媒体を運行記録装置１０へ抜き挿しすることによる記憶媒体の端子の劣化不良が発生するおそれがある。本実施形態に係る運行管理システム１は、運行情報を他の装置へ移すために近距離通信を用いるので、運転手の手間がかからず、さらに、抜き挿しの頻度を減少させ、機械的な劣化の影響を受けることなく、より確実に運行情報を他の装置へ移すことができる。
【００２１】
運行管理システム１は、複数の運行記録装置１０と、複数の携帯電子機器２０とを含むことができる。運行記録装置１０と携帯電子機器２０との組み合わせは、必要に応じて変更することができてもよい。すなわち、携帯電子機器２０を携帯する運転手が、運行記録装置１０を備える別の車両を運転する場合でも、携帯電子機器２０を介して運行情報を運行記録装置１０から情報処理装置３０へ送信する仕組みが機能するように運行管理システム１を構成してもよい。
【００２２】
図２から図４を参照しながら、運行記録装置１０についてより詳細に説明する。図２は、運行記録装置１０のブロック図である。図２に示すように、運行記録装置１０は、インターフェース部１０１と、位置検出部１０２と、加速度検出部１０３と、撮影部１０４と、近距離通信部１０５と、操作部１０６と、報知部１０７と、記憶部１１０と、処理部１２０とを含む。
【００２３】
インターフェース部１０１は、運行記録装置１０が搭載された車両の各部が出力する信号を伝達する信号線と接続される。位置検出部１０２は、測位システムの衛生が送信する電波に基づいて、現在位置を検出する。位置検出部１０２は、カーナビゲーションシステム等の他のシステムと共用されてもよい。加速度検出部１０３は、加速度の大きさと方向とを検出する。加速度の検出は、静電容量型等の各種加速度センサを用いて実現することができる。
【００２４】
撮影部１０４は、１乃至複数のイメージセンサを用いて、運行記録装置１０が搭載された車両の外部又は内部を電子的に撮影する。撮影部１０４は、運行記録装置１０の外部に設けられ、運行記録装置１０と有線又は無線で接続されてもよい。
【００２５】
近距離通信部１０５は、携帯電子機器２０と近距離通信によって通信を行う。近距離通信部１０５は、運行記録装置１０の外部に設けられ、運行記録装置１０と有線で接続されてもよい。近距離通信部１０５は、携帯電子機器２０以外の機器と運行記録装置１０とを無線で接続するために用いられてもよい。
【００２６】
操作部１０６は、運転手等の人による操作を受け付ける。報知部１０７は、音、光等により、運転手に対して警告等の報知を行う。
【００２７】
記憶部１１０は、各種の情報を記憶する。記憶部１１０は、メモリカード、光ディスク、光磁気ディスク等の非一過的（non-transitory）で可搬の記憶媒体と、記憶媒体の読み書き装置との組み合わせを含んでもよい。
【００２８】
記憶部１１０は、一時記憶領域１１１を含む。一時記憶領域１１１は、撮影部１０４によって撮影された映像が、静止画又は動画として一時的に記憶される領域である。さらに、一時記憶領域１１１は、映像だけでなく、車速や加速度等の運行情報を一時的に記憶してもよい。
【００２９】
記憶部１１０は、運行情報１１２と、設定情報１１３とを記憶する。運行情報１１２は、車両の運行に関する情報である。設定情報１１３は、運行記録装置１０の動作に関する各種の設定値を含む。
【００３０】
運行情報１１２は、状況データ１１２ａと、映像管理データ１１２ｂとを含む。運行情報１１２は、１乃至複数の映像データ１１２ｃを含むことができる。状況データ１１２ａは、車両の状況を示す事象に関する情報を含む。車両の状況を示す事象に関する情報には、例えば、加速度に関する情報、エンジンの回転数に関する情報、速度に関する情報、走行距離に関する情報（タイヤの回転数に関する情報）、ブレーキの状態に関する情報、ウィンカーの状態に関する情報、ワイパーの状態に関する情報、エアコンの状態に関する情報、及びＥＴＣ（Electronic Toll Collection System）車載器に関する情報等が含まれる。車両の状況を示す事象に関する情報は、例えば、事象を表す値が変化した場合、事象を表す値が閾値を超えた場合、所定の時間が経過した場合、又は未送信の所定量データが溜まった場合に、状況データ１１２ａに記録される。映像管理データ１１２ｂは、映像データ１１２ｃを管理するための情報を含む。映像データ１１２ｃは、所定の事象が生じた前後の所定の期間の車外又は車内を撮影した動画である。所定の事象は、例えば、事故の発生を示す事象、事故が発生する可能性が高い事象、又は安全性に関連のある事象である。
【００３１】
図３は、状況データ１１２ａの例を示す図である。図３に示す例において、状況データ１１２ａは、車両ＩＤ、データＩＤ、運転手ＩＤ、種別、記録日付、記録時刻、場所、値、重要度、送信日付、及び送信時刻等の項目を有する。
【００３２】
運転手ＩＤの項目には、車両を運転している運転手を識別するためのＩＤが格納される。運行記録装置１０は、運転手を識別するためのＩＤを、近距離通信部１０５を介して、携帯電子機器２０から取得する。運行記録装置１０は、近距離通信において携帯電子機器２０を識別するためのＩＤ（例えば、ＳＳＩＤ又はＭＡＣアドレス等）等を、運転手を識別するためのＩＤとして用いてもよい。このように、運転手を識別するためのＩＤを携帯電子機器２０から取得することにより、運転手が変更されても、車両を運転している運転手を識別するためのＩＤを運転手の操作を要することなく正しく取得することができる。
【００３３】
重要度の項目には、事象の重要度を示す値が格納される。事象の重要度は、例えば、事象の種類及び事象の詳細を示す値の少なくとも一方に基づいて決定される。事象の重要度は、例えば、行を削除する優先順位、又は行を削除せずに保存しておく期間を決定するために用いられる。重要度を示す値は、例えば、重要度が高い順に、３から１のいずれかの値をとる。
【００３４】
例えば、図３に示す状況データ１１２ａの３つめの行は、事象が発生した車両が「Ｖ１２３」というＩＤで識別され、この行が「２０１３０４０３−０００３」というＩＤで識別され、事象が発生した際の運転手が「Ｄ５６７」というＩＤで識別されることを示している。さらに、この行は、事象の種類が「加速度」であり、事象が「２０１３／４／３」の「９：３８：２５」に、「ｘｘ．ｘｘｘｘ，ｚｚ．ｚｚｚｚ」という場所で発生したことを示している。さらに、この行は、「加速度」の値が「０．３Ｇ」であり、事象の重要度が「２」であり、この行に含まれる情報が携帯電子機器２０にも情報処理装置３０にもまだ送信されていないことを示している。
【００３５】
図４は、映像管理データ１１２ｂの例を示す図である。図４に示す例において、映像管理データ１１２ｂは、車両ＩＤ、データＩＤ、映像データ名、撮影開始日付、撮影開始時刻、撮影終了日付、撮影終了時刻、重要度、送信日付、送信時刻等の項目を有する。
【００３６】
重要度の項目には、対応する映像データ１１２ｃの重要度を示す値が格納される。映像データ１１２ｃの重要度は、例えば、映像データ１１２ｃが保存されるきっかけとなった事象の種類及び事象の詳細を示す値の少なくとも一方に基づいて決定される。映像データ１１２ｃの重要度は、例えば、映像データ１１２ｃを削除する優先順位を決定するために用いられる。重要度を示す値は、例えば、重要度が高い順に、３から１のいずれかの値をとる。
【００３７】
例えば、図４に示す映像管理データ１１２ｂの１つめの行は、対応する映像データ１１２ｃが撮影された車両が「Ｖ１２３」というＩＤで識別され、映像データ１１２ｃが保存されるきっかけとなった事象に対応する状況データ１１２ａの行が「２０１３０４０３−０００３」というＩＤで識別されることを示している。すなわち、この行は、対応する映像データ１１２ｃが、図３に示す状況データ１１２ａの３つめの行に対応する事象がきっかけとなって保存されたことを示している。
【００３８】
さらに、この行は、対応する映像データ１１２ｃの名前が「２０１３０４０３−００１．ｊｐｇ」であり、映像データ１１２ｃの撮影期間が、「２０１３／４／３」の「９：３７：５５」から「２０１３／４／３」の「９：３８：５５」までであることを示している。さらに、この行は、対応する映像データ１１２ｃの重要度が「３」であり、映像データ１１２ｃが携帯電子機器２０にも情報処理装置３０にもまだ送信されていないことを示している。
【００３９】
処理部１２０は、運行記録装置１０の機能を実現するための各種の処理を実行する。処理部１２０は、情報取得部１２１と、状況記録部１２２と、映像記録部１２３と、情報送信部１２４と、情報管理部１２５と、設定管理部１２６を有する。
【００４０】
情報取得部１２１は、車両の運行に関する情報を取得する。状況記録部１２２は、情報取得部１２１が取得した情報に基づいて、車両の状況を示す事象に関する情報を状況データ１１２ａに記録する。状況記録部１２２は、例えば、情報取得部１２１が取得した情報を一時記憶部１１１に一時的に記憶させ、所定の条件を満たした場合に、一時的に記憶している情報を状況データ１１２ａに記録する。
【００４１】
映像記録部１２３は、情報取得部１２１が取得した静止画又は動画を一時的に一時記憶領域１１１に記憶させ、所定の事象が発生した場合に、一時記憶領域１１１に記憶されているデータに基づいて、その事象が発生した前後の所定の期間の動画を生成する。映像記録部１２３は、生成した動画を映像データ１１２ｃとして保存し、動画を管理するための情報を映像管理データ１１２ｂに追加する。
【００４２】
情報送信部１２４は、近距離通信部１０５による近距離通信を介して、運行情報１１２を携帯電子機器２０へ送信する。具体的には、情報送信部１２４は、予め登録されている携帯電子機器２０が近距離通信部１０５によって検出されたかを監視する。そして、携帯電子機器２０が近距離通信部１０５によって検出されると、情報送信部１２４は、必要に応じて、運行情報１１２を携帯電子機器２０へ送信する。
【００４３】
情報送信部１２４は、携帯電子機器２０から運行情報１１２を送信しないように要求された場合、運行情報１１２の送信を停止する。携帯電子機器２０は、例えば、携帯電子機器２０のバッテリの残量が閾値よりも少ない場合、又は携帯電子機器２０の記憶部の残容量が閾値よりも少ない場合に、運行情報１１２を送信しないように要求する。このような構成により、運行情報１１２の送信が失敗する可能性を低減することができる。情報送信部１２４は、携帯電子機器２０に状態を問い合わせ、その応答に基づいて運行情報１１２の送信を停止又は再開してもよい。
【００４４】
情報管理部１２５は、記憶部１１０に記憶されている各種の情報を管理する。例えば、情報管理部１２５は、記憶部１１０が溢れることがないように、不要な情報又は重要度の低い情報を削除する。
【００４５】
設定管理部１２６は、運行記録装置１０の各種動作に関する設定を管理する。例えば、設定管理部１２６は、携帯電子機器２０が近距離通信部１０５によって検出されると、携帯電子機器２０から運転手に関する情報を取得し、取得した情報を運行記録装置１０の動作に反映させる。
【００４６】
図５から図６を参照しながら、携帯電子機器２０についてより詳細に説明する。図５は、携帯電子機器２０のブロック図である。図５に示すように、携帯電子機器２０は、表示部２０１と、操作部２０２と、近距離通信部２０３と、通信部２０４と、バッテリ２０５と、電源管理部２０６と、記憶部２１０と、制御部２２０とを含む。
【００４７】
表示部２０１は、文字、図形、及び画像等の情報を表示する。操作部２０２は、利用者による操作を受け付ける。
【００４８】
近距離通信部２０３は、運行記録装置１０及び情報処理装置３０と近距離通信によって通信を行う。近距離通信部２０３は、複数の近距離通信の方式をサポートしてもよい。近距離通信部２０３が運行記録装置１０との通信に用いる通信方式は、近距離通信部２０３が情報処理装置３０との通信に用いる通信方式と異なってもよい。
【００４９】
通信部２０４は、通信会社の基地局との間で無線通信を行い、通信会社の公衆回線を介した他の装置との通信を可能にする。
【００５０】
バッテリ２０５は、充電可能な電池である。バッテリ２０５は、携帯電子機器２０の各部に電力を供給する。電源管理部２０６は、携帯電子機器２０の電源に関する各種管理を行う。例えば、電源管理部２０６は、バッテリ２０５の残量を取得し、制御部２２０に通知する。
【００５１】
記憶部２１０は、各種の情報及びプログラムを記憶する。記憶部２１０は、非一過的で可搬の記憶媒体と、記憶媒体の読み書き装置との組み合わせを含んでもよい。
【００５２】
記憶部２１０は、管理プログラム２１１と、運転手情報２１２と、運行情報２１３と、設定情報２１４とを記憶する。
【００５３】
管理プログラム２１１は、運行情報２１３の管理に関する機能を提供する。運行情報２１３の管理に関する機能は、例えば、運転手情報２１２を運行記録装置１０へ送信する機能、運行記録装置１０から運行情報１１２を受信する機能、情報処理装置３０へ運行情報２１３を送信する機能、運行情報２１３を削除する機能、及び運行情報１１２の送信の停止を運行記録装置１０に要求する機能を含む。
【００５４】
運転手情報２１２は、携帯電子機器２０を携帯する運転手に関する情報を含む。図６は、運転手情報２１２の例を示す図である。図６に示す例において、運転手情報２１２は、運転手ＩＤ、及び運転特性等の項目を有する。運転手ＩＤの項目には、携帯電子機器２０を携帯する運転手を識別するためのＩＤが格納される。運転特性の項目には、運転手の運転の特性に関する情報が格納される。運転手の運転の特性に関する情報は、例えば、運転速度、加速の仕方、及びブレーキのかけ方等に関する情報を含む。運転手の運転の特性に関する情報は、例えば、携帯電子機器２０又は情報処理装置３０が、運行情報２１３を分析することによって作成される。運転手情報２１２は、運転特性の項目に代わりに、映像記録部１２３が映像データ１１２ｃを保存するか否かを判定するための閾値を格納する項目を有してもよい。
【００５５】
運行情報２１３は、状況データ２１３ａと、映像管理データ２１３ｂとを含む。運行情報２１３は、１乃至複数の映像データ２１３ｃを含むことができる。状況データ２１３ａ、映像管理データ２１３ｂ、及び映像データ２１３ｃは、それぞれ、運行記録装置１０から送信された状況データ１１２ａ、映像管理データ１１２ｂ、及び映像データ１１２ｃである。
【００５６】
設定情報２１４は、携帯電子機器２０の動作に関する各種の設定値を含む。
【００５７】
記憶部２１０に記憶されるプログラムは、近距離通信部２０３又は通信部２０４による通信によってダウンロードされてもよい。記憶部２１０に記憶されるプログラムは、非一過的で可搬の記憶媒体に記憶され、記憶部２１０が有する読み書き装置によって読み取られてもよい。
【００５８】
制御部２２０は、携帯電子機器２０の動作を統合的に制御する。制御部２２０は、例えば、演算処理装置と、メモリとを有する。制御部２２０は、記憶部２１０が記憶するプログラムをメモリに展開し、プログラムに含まれる命令に基づく演算を行いながらプログラムを実行することによって、各種の機能を実現する。
【００５９】
図７を参照しながら、情報処理装置３０についてより詳細に説明する。図７は、情報処理装置３０のブロック図である。図７に示すように、情報処理装置３０は、近距離通信部３０１と、通信部３０２と、記憶部３１０と、制御部３２０とを含む。
【００６０】
近距離通信部３０１は、携帯電子機器２０と近距離通信によって通信を行う。通信部３０２は、通信会社の公衆回線を介した他の装置との通信を可能にする。通信部３０２は、無線又は有線による通信の方式をサポートする。
【００６１】
記憶部３１０は、各種の情報及びプログラムを記憶する。記憶部３１０は、メモリカード、光ディスク、光磁気ディスク等の非一過的で可搬の記憶媒体と、記憶媒体の読み書き装置との組み合わせを含んでもよい。
【００６２】
記憶部３１０は、業務プログラム３１１と、運行情報３１２とを記憶する。
【００６３】
業務プログラム３１１は、運行情報３１２の管理、及び運行情報３１２を用いた業務処理に関する機能を提供する。運行情報３１２の管理に関する機能は、例えば、携帯電子機器２０から運行情報２１３を受信して運行情報３１２として保存する機能を含む。運行情報３１２を用いた業務処理に関する機能は、例えば、報告書データを作成する機能、及び運転手の運転の特性を分析する機能を含む。
【００６４】
運行情報３１２は、状況データ３１２ａと、映像管理データ３１２ｂとを含む。運行情報３１２は、１乃至複数の映像データ３１２ｃを含むことができる。状況データ３１２ａ、映像管理データ３１２ｂ、及び映像データ３１２ｃは、それぞれ、携帯電子機器２０から送信された状況データ２１３ａ、映像管理データ２１３ｂ、及び映像データ３１２ｃである。運行情報３１２は、複数の携帯電子機器２０から送信された情報を含むことができる。
【００６５】
制御部３２０は、情報処理装置３０の動作を統合的に制御する。制御部３２０は、例えば、演算処理装置と、メモリとを有する。制御部３２０は、記憶部３１０が記憶するプログラムをメモリに展開し、プログラムに含まれる命令に基づく演算を行いながらプログラムを実行することによって、各種の機能を実現する。制御部３２０は、クラウドコンピューティング等のサーバに運行情報３１２を送信し、サーバが業務処理用に生成した情報を記憶部３１０に記憶させてもよい。
【００６６】
図８から図１２を参照しながら、図１に示した運行管理システム１の動作についてより詳細に説明する。図８は、運行記録装置１０の動作の例を示すフローチャートである。図８に示す動作は、主として運行情報１１２を携帯電子機器２０へ送信するための動作であり、この動作と並行して、車両の運行に関する情報を取得して運行情報１１２として記録する動作等の他の動作が実行される。
【００６７】
運行記録装置１０が起動すると、情報送信部１２４は、近距離通信部１０５が携帯電子機器２０を検出したかを判定する（ステップＳ１０１）。近距離通信部１０５が携帯電子機器２０を検出するということは、運行記録装置１０と携帯電子機器２０との近距離通信が可能であることを意味する。運行記録装置１０が起動するタイミングは、イグニッションをＯＮにしたとき、操作部１６０（スイッチ等）をＯＮしたときと連動させてもよい。
【００６８】
携帯電子機器２０が検出されていない場合（ステップＳ１０１，Ｎｏ）、情報送信部１２４は、車両が走行中であるかを判定する（ステップＳ１０２）。車両が走行中であるかは、情報取得部１２１が取得する情報に基づいて判定できる。車両が走行中の場合（ステップＳ１０２，Ｙｅｓ）、情報送信部１２４は、携帯電子機器２０を検出できないこと（携帯電子機器２０との近距離通信が不能であること）を示す警告を報知部１０７により、運転手に対して行う（ステップＳ１０３）。このような警告により、運行情報１１２を携帯電子機器２０へ送信できない状態で車両の走行が継続する可能性を低減することができる。車両が走行中でなければ（ステップＳ１０２，Ｎｏ）、警告は行われない。その後、ステップＳ１０１以降が再実行される。
【００６９】
携帯電子機器２０が検出されている場合（ステップＳ１０１，Ｙｅｓ）、情報送信部１２４は、送信フラグをＯＮに設定する（ステップＳ１０４）。送信フラグは、携帯電子機器２０へ運行情報１１２を送信できる状態に携帯電子機器２０があるか否かを管理するためのフラグである。送信フラグがＯＮであるということは、携帯電子機器２０へ運行情報１１２を送信できる状態に携帯電子機器２０があることを意味する。
【００７０】
続いて、設定管理部１２６が、近距離通信部１０５を介して、運転手情報送信要求を携帯電子機器２０へ送信する（ステップＳ１０５）。そして、設定管理部１２６は、近距離通信部１０５を介して、携帯電子機器２０から運転手情報２１２を受信する（ステップＳ１０６）。
【００７１】
設定管理部１２６は、受信した運転手情報２１２に基づいて、設定情報１１３等の設定を更新する（ステップＳ１０７）。具体的には、設定管理部１２６は、運転手情報２１２に含まれる運転手のＩＤが、運転手を識別するためのＩＤとして運行情報１１２に記録されるように設定する。さらに、設定管理部１２６は、受信した運転手情報２１２に含まれる運転手の運転の特性を示す情報に基づいて、映像データ１１２ｃを保存するか否かを判定するための閾値を設定する。設定管理部１２６は、近距離通信において携帯電子機器２０を識別するためのＩＤが、運転手を識別するためのＩＤとして運行情報１１２に記録されるように設定してもよい。設定管理部１２６は、受信した運転手情報２１２に含まれる閾値を、映像データ１１２ｃを保存するか否かを判定するための閾値として設定してもよい。ステップＳ１０５からステップＳ１０７は、ステップＳ１０４の前に実行してもよい。
【００７２】
続いて、情報送信部１２４は、運行情報１１２の送信が必要かを判定する（ステップＳ１０８）。情報送信部１２４は、例えば、未送信の行が状況データ１１２ａ又は映像管理データ１１２ｂに含まれる場合に、運行情報１１２の送信が必要であると判定する。未送信の行があるか否かは、例えば、送信日付及び送信時刻の項目の値に基づいて判定できる。運行情報１１２の送信が必要な場合（ステップＳ１０８，Ｙｅｓ）、情報送信部１２４は、送信フラグがＯＮであるかを判定する（ステップＳ１０９）。送信フラグがＯＮの場合（ステップＳ１０９，Ｙｅｓ）、情報送信部１２４は、近距離通信部１０５を介して、運行情報１１２に含まれる未送信の情報を携帯電子機器２０へ送信する（ステップＳ１１０）。他の例として、情報送信部１２４は、定期的（例えば１分毎）に、近距離通信部１０５を介して、運行情報１１２に含まれる未送信の情報を携帯電子機器２０へ送信してもよい。運行情報１１２を携帯電子機器２０へ送信する時間間隔としてのインターバルを、設定変更可能にしてもよい。
【００７３】
ステップＳ１１０で送信される情報は、状況データ１１２ａの未送信の行と、映像管理データ１１２ｂの未送信の行と、映像管理データ１１２ｂの未送信の行に対応する映像データ１１２ｃである。情報送信部１２４は、送信する状況データ１１２ａ及び映像管理データ１１２ｂの行の送信日付及び送信時刻の項目に送信を実行する日付及び時刻をそれぞれ設定する。運行情報１１２の送信が必要でない場合（ステップＳ１０８，Ｎｏ）、又は送信フラグがＯＮでない場合（ステップＳ１０９，Ｎｏ）、ステップＳ１１０は実行されない。
【００７４】
続いて、情報送信部１２４は、中断要求が、近距離通信部１０５を介して携帯電子機器２０から受信されたかを判定する（ステップＳ１１１）。携帯電子機器２０は、携帯電子機器２０へ運行情報１１２を送信できる状態に携帯電子機器２０がない場合に、近距離通信で、中断要求を運行記録装置１０へ送信する。携帯電子機器２０へ運行情報１１２を送信できる状態に携帯電子機器２０がない場合は、例えば、携帯電子機器２０のバッテリ２０５の残量が閾値よりも少ない場合、及び携帯電子機器２０の記憶部２１０の残容量が閾値よりも少ない場合を含む。
【００７５】
中断要求が、受信された場合（ステップＳ１１１，Ｙｅｓ）、携帯電子機器２０は、送信フラグをＯＦＦに設定する（ステップＳ１１２）。中断要求が、受信されていない場合（ステップＳ１１１，Ｎｏ）、送信フラグはそのままにされる。
【００７６】
続いて、情報送信部１２４は、再開要求が、近距離通信部１０５を介して携帯電子機器２０から受信されたかを判定する（ステップＳ１１３）。携帯電子機器２０は、携帯電子機器２０へ運行情報１１２を送信できる状態に携帯電子機器２０が復帰した場合に、近距離通信で、再開要求を運行記録装置１０へ送信する。再開要求が、受信された場合（ステップＳ１１３，Ｙｅｓ）、携帯電子機器２０は、送信フラグをＯＮに設定する（ステップＳ１１４）。再開要求が、受信されていない場合（ステップＳ１１３，Ｎｏ）、送信フラグはそのままにされる。
【００７７】
その後、情報送信部１２４は、携帯電子機器２０への運行情報１１２の送信を終了するかを判定する（ステップＳ１１５）。情報送信部１２４は、例えば、車両の走行が終了した場合、又は運行情報１１２の送信を指示する操作が操作部１０６に対して行われた場合、携帯電子機器２０への運行情報１１２の送信を終了すると判定する。運行情報１１２の送信を終了する場合（ステップＳ１１５，Ｙｅｓ）、図８に示す一連の処理手順が終了される。運行情報１１２の送信を終了しない場合（ステップＳ１１５，Ｎｏ）、ステップＳ１０８以降が再実行される。
【００７８】
図９は、携帯電子機器２０による運行情報１１２の受信動作の例を示すフローチャートである。図９に示す動作は、携帯電子機器２０が近距離通信によって運行記録装置１０と通信が可能な間、繰り返して実行される。図９に示す受信動作は、携帯電子機器２０の制御部２２０が、管理プログラム２１１を実行することにより実現される。携帯電子機器２０は、図９に示す受信動作と並行して他の動作を実行することがある。
【００７９】
制御部２２０は、運転手情報送信要求が、近距離通信部２０３を介して運行記録装置１０から受信されたかを判定する（ステップＳ２０１）。運転手情報送信要求が受信された場合（ステップＳ２０１，Ｙｅｓ）、制御部２２０は、近距離通信部２０３を介して、運転手情報２１２を運行記録装置１０へ送信する（ステップＳ２０２）。運転手情報送信要求が受信されていない場合（ステップＳ２０１，Ｎｏ）、ステップＳ２０２は実行されない。
【００８０】
続いて、制御部２２０は、運行情報１１２が、近距離通信部２０３を介して運行記録装置１０から受信されたかを判定する（ステップＳ２０３）。運行情報１１２が受信された場合（ステップＳ２０３，Ｙｅｓ）、制御部２２０は、受信した運行情報１１２を運行情報２１３として記憶部２１０に保存する（ステップＳ２０４）。具体的には、受信した運行情報１１２に状況データ１１２ａの行が含まれる場合、制御部２２０は、その行を状況データ２１３ａに追加する。受信した運行情報１１２に映像管理データ１１２ｂの行が含まれる場合、制御部２２０は、その行を映像管理データ２１３ｂに追加し、対応する映像データ１１２ｃを映像データ２１３ｃとして記憶部２１０に保存する。運行情報１１２が受信されていない場合（ステップＳ２０３，Ｎｏ）、ステップＳ２０４は実行されない。
【００８１】
続いて、制御部２２０は、バッテリ２０５の残量が閾値より少ないかを判定する（ステップＳ２０５）。バッテリ２０５の残量が閾値より少ない場合（ステップＳ２０５，Ｙｅｓ）、制御部２２０は、近距離通信部２０３を介して、中断要求を運行記録装置１０へ送信する（ステップＳ２０６）。そして、制御部２２０は、バッテリ２０５の残量が閾値より少ないままかを判定する（ステップＳ２０７）。バッテリ２０５の残量が閾値より少ないままの場合（ステップＳ２０７，Ｙｅｓ）、制御部２２０は、ステップＳ２０７の判定を再び実行する。バッテリ２０５の残量が閾値より少なくなくなっている場合（ステップＳ２０７，Ｎｏ）、制御部２２０は、近距離通信部２０３を介して、再開要求を運行記録装置１０へ送信する（ステップＳ２０８）。ステップＳ２０５でバッテリ２０５の残量が閾値より少なくない場合（ステップＳ２０５，Ｎｏ）、ステップＳ２０６からステップＳ２０８は実行されない。
【００８２】
続いて、制御部２２０は、記憶部２１０の残容量が閾値より少ないかを判定する（ステップＳ２０９）。記憶部２１０の残容量が閾値より少ない場合（ステップＳ２０９，Ｙｅｓ）、制御部２２０は、近距離通信部２０３を介して、中断要求を運行記録装置１０へ送信する（ステップＳ２１０）。そして、制御部２２０は、記憶部２１０の残容量を増やすための処理を実行する（ステップＳ２１１）。記憶部２１０の残容量を増やすための処理は、例えば、キャッシュデータ及び一時データ等の不要なデータを記憶部２１０から削除する処理、重要度が閾値よりも低い情報を運行情報２１３から削除する処理、及び運行情報２１３の一部又は全部を通信部２０４による通信によって情報処理装置３０等の他の装置へ送信する処理の少なくとも１つを含む。記憶部２１０の残容量を増やすための処理が完了すると、制御部２２０は、近距離通信部２０３を介して、再開要求を運行記録装置１０へ送信する（ステップＳ２１２）。ステップＳ２０９で記憶部２１０の残容量が閾値より少なくない場合（ステップＳ２０９，Ｎｏ）、ステップＳ２１０からステップＳ２１２は実行されない。
【００８３】
図１０は、携帯電子機器２０による運行情報２１３の送信動作の例を示すフローチャートである。図１０に示す動作は、未送信の運行情報２１３が記憶部２１０に保存されているときに、携帯電子機器２０によって実行される。図１０に示す送信動作は、携帯電子機器２０の制御部２２０が、管理プログラム２１１を実行することにより実現される。携帯電子機器２０は、図１０に示す送信動作と並行して他の動作を実行することがある。
【００８４】
制御部２２０は、近距離通信部２０３が情報処理装置３０を検出したかを判定する（ステップＳ３０１）。近距離通信部２０３が情報処理装置３０を検出するということは、携帯電子機器２０と情報処理装置３０の近距離通信が可能であることを意味する。
【００８５】
情報処理装置３０が検出されていない場合（ステップＳ３０１，Ｎｏ）、制御部２２０は、ステップＳ３０１の判定を再び実行する。情報処理装置３０が検出された場合（ステップＳ３０１，Ｙｅｓ）、制御部２２０は、近距離通信部２０３を介して、運行情報２１３に含まれる未送信の情報を情報処理装置３０へ送信する（ステップＳ３０２）。
【００８６】
ステップＳ３０２で送信される情報は、状況データ２１３ａの未送信の行と、映像管理データ２１３ｂの未送信の行と、映像管理データ２１３ｂの未送信の行に対応する映像データ２１３ｃである。制御部２２０は、送信する状況データ２１３ａ及び映像管理データ２１３ｂの行の送信日付及び送信時刻の項目に送信を実行する日付及び時刻をそれぞれ設定する。
【００８７】
図１１は、運行管理システム１における運行情報の削除の例を示すシーケンス図である。図１１に示す例において、運行記録装置１０は、運行情報１１２を記録する（ステップＳ４０１）。運行記録装置１０は、近距離通信部１０５が携帯電子機器２０を検出すると（ステップＳ４０２）、近距離通信部１０５を介して、運行情報１１２を携帯電子機器２０へ送信する（ステップＳ４０３）。そして、運行記録装置１０は、送信した運行情報１１２を削除する（ステップＳ４０４）。
【００８８】
携帯電子機器２０は、送信された運行情報１１２を運行情報２１３として保存する（ステップＳ４０５）。携帯電子機器２０は、近距離通信部２０３が情報処理装置３０を検出すると（ステップＳ４０６）、近距離通信部２０３を介して、運行情報２１３を情報処理装置３０へ送信する（ステップＳ４０７）。そして、携帯電子機器２０は、送信した運行情報２１３を削除する（ステップＳ４０８）。
【００８９】
情報処理装置３０は、送信された運行情報２１３を運行情報３１２として保存する（ステップＳ４０９）。
【００９０】
この例では、運行記録装置１０は、携帯電子機器２０への送信が完了すると、運行情報１１２を削除する。このため、運行情報１１２が記憶部１１０に記憶される期間Ｐ１は比較的短い。これにより、運行情報１１２を記憶するために必要な記憶容量が少なくて済み、記憶部１１０のコストを低減することができる。
【００９１】
同様に、この例では、携帯電子機器２０は、情報処理装置３０への送信が完了すると、運行情報２１３を削除する。このため、運行情報２１３が記憶部２１０に記憶される期間Ｐ２は比較的短い。これにより、運行情報２１３を記憶するために必要な記憶容量が少なくて済み、記憶部２１０のコストを低減することができる。
【００９２】
図１２は、運行管理システム１における運行情報の削除の他の例を示すシーケンス図である。図１２に示す例において、運行記録装置１０は、運行情報１１２を記録する（ステップＳ５０１）。運行記録装置１０は、近距離通信部１０５が携帯電子機器２０を検出すると（ステップＳ５０２）、近距離通信部１０５を介して、運行情報１１２を携帯電子機器２０へ送信する（ステップＳ５０３）。
【００９３】
携帯電子機器２０は、送信された運行情報１１２を運行情報２１３として保存する（ステップＳ５０４）。携帯電子機器２０は、近距離通信部２０３が情報処理装置３０を検出すると（ステップＳ５０５）、近距離通信部２０３を介して、運行情報２１３を情報処理装置３０へ送信する（ステップＳ５０６）。
【００９４】
情報処理装置３０は、送信された運行情報２１３を運行情報３１２として保存する（ステップＳ５０７）。情報処理装置３０は、保存した運行情報３１２に含まれる状況データ３１２ａ及び映像管理データ３１２ｂの行のＩＤを携帯電子機器２０へ送信する（ステップＳ５０８）。携帯電子機器２０は、送信されたＩＤを記録する（ステップＳ５０９）。
【００９５】
その後、運転手が再び車両に乗車すると、携帯電子機器２０の近距離通信部２０３が運行記録装置１０を検出する（ステップＳ５１０）。携帯電子機器２０は、近距離通信部２０３が運行記録装置１０を検出すると、近距離通信部２０３を介して、ステップＳ５０９で記録したＩＤを運行記録装置１０へ送信する（ステップＳ５１１）。
【００９６】
運行記録装置１０は、送信されたＩＤに対応する状況データ１１２ａの行及び映像管理データ１１２ｂの行と、映像管理データ１１２ｂの行に対応する映像データ１１２ｃとを削除する（ステップＳ５１２）。そして、運行記録装置１０は、近距離通信部１０５を介して、削除した行のＩＤを携帯電子機器２０へ送信する（ステップＳ５１３）。
【００９７】
携帯電子機器２０は、送信されたＩＤに対応する状況データ２１３ａの行及び映像管理データ２１３ｂの行と、映像管理データ２１３ｂの行に対応する映像データ２１３ｃとを削除する（ステップＳ５１４）。
【００９８】
この例では、運行記録装置１０は、情報処理装置３０に保存された運行情報３１２のＩＤを受信し、受信したＩＤに対応する情報を運行情報１１２から削除する。すなわち、運行記録装置１０は、情報処理装置３０が運行情報を記憶部３１０に記憶させたことを示す情報を携帯電子機器２０を介して受信した場合に、その運行情報から削除する。このため、運行情報１１２が記憶部１１０に記憶される期間Ｐ１は比較的長くなるが、運行情報１１２が情報処理装置３０に保存されることなく失われる可能性を低減することができる。
【００９９】
さらに、この例では、運行記録装置１０が運行情報１１２を削除するまで、同じ情報が運行情報２１３として携帯電子機器２０に保存される。このため、運行情報２１３が記憶部２１０に記憶される期間Ｐ２は比較的長くなるが、運行情報１１２が情報処理装置３０に保存されることなく失われる可能性をさらに低減することができる。
【０１００】
上述した実施形態及びその変形例は、発明の要旨を逸脱しない範囲で、適宜変更することができる。さらに、上述した実施形態及びその変形例は、適宜組み合わせることができる。
【０１０１】
例えば、運行記録装置１０の処理部の機能は、ソフトウェアを用いて実現されてもよい。図１３は、運行記録装置１０の変形例のブロック図である。図１３に示す運行記録装置１１は、処理部１２０の代わりに制御部１３０を備える点と、記憶部１１０が制御プログラム１１４をさらに備える点とにおいて、図２に示した運行記録装置１０と異なる。
【０１０２】
制御部１３０は、運行記録装置１１の動作を統合的に制御する。制御部１３０は、例えば、ＣＰＵ等の演算処理装置と、演算処理装置の演算値等を格納するメモリとを有する。制御部１３０は、記憶部１１０が記憶するプログラムをメモリに展開し、プログラムに含まれる命令に基づく演算を行いながらプログラムを実行することによって、各種の機能を実現する。例えば、制御部１３０は、制御プログラム１１４を実行することによって、処理部１２０と同様の機能を実現する。
【０１０３】
プログラム及びデータは、必要に応じて、集約又は分散されてもよい。
【０１０４】
上記の実施形態では、運行記録装置１０及び１１が動画を記録する機能を有する例について説明したが、運行記録装置１０及び１１は、動画を記録する機能をもたなくてもよい。
【０１０５】
図１１及び図１２を用いて、運行記録装置１０が運行情報１１２を削除する処理について説明したが、運行記録装置１０は、法律によって所定期間の保存が定められている情報等の特に重要度の高い情報を削除せずに一定期間保存してもよい。
【０１０６】
運行管理システム１は、情報処理装置３０へ送信される過程で運行情報が改ざんされることがないように、暗号化、及び電子署名等のセキュリティ技術を利用してもよい。
【０１０７】
上記の実施形態では、携帯電子機器２０が携帯電話である例について説明したが、携帯電子機器２０は、携帯電話以外の装置であってもよい。携帯電子機器２０は、例えば、近距離通信可能モジュールと記憶媒体とが内蔵された名札、キーレスエントリ端末、タブレットデバイス、ノート型パソコン、メディアプレイヤ、電子書籍リーダ、携帯ゲーム機、又は携帯型ナビゲーション装置等の他の携帯電子機器であってもよい。携帯電子機器２０は、運行情報２１３に基づいて日報を生成し、出力するようにしてもよい。携帯電子機器２０は、日報がチェックされたら、サーバに送信するようにしてもよい。運行情報１１２は、タブレット等の専用アプリによって保存されるようにしてもよい。
【符号の説明】
【０１０８】
１０、１１  運行記録装置
１０１  インターフェース部
１０２  位置検出部
１０３  加速度検出部
１０４  撮影部
１０５  近距離通信部
１０６  操作部
１０７  報知部
１１０  記憶部
１１１  一時記憶領域
１１２  運行情報
１１３  設定情報
１１４  制御プログラム
１２０  処理部
１２１  情報取得部
１２２  状況記録部
１２３  映像記録部
１２４  情報送信部
１２５  情報管理部
１２６  設定管理部
１３０  制御部
２０  携帯電子機器
２０１  表示部
２０２  操作部
２０３  近距離通信部
２０４  通信部
２０５  バッテリ
２０６  電源管理部
２１０  記憶部
２１１  管理プログラム
２１２  運転手情報
２１３  運行情報
２１４  設定情報
２２０  制御部
３０  情報処理装置
３０１  近距離通信部
３０２  通信部
３１０  記憶部
３１１  業務プログラム
３１２  運行情報
３２０  制御部
【図１】
2014235609.tif 000003
【図２】
2014235609.tif 000004
【図３】
2014235609.tif 000005
【図４】
2014235609.tif 000006
【図５】
2014235609.tif 000007
【図６】
2014235609.tif 000008
【図７】
2014235609.tif 000009
【図８】
2014235609.tif 000010
【図９】
2014235609.tif 000011
【図１０】
2014235609.tif 000012
【図１１】
2014235609.tif 000013
【図１２】
2014235609.tif 000014
【図１３】
2014235609.tif 000015